(57)【要約】【課題】本発明は、良好な操作性の基に、内蔵ストロボからの光が、前方へ照射されることを抑えることができ、かつ、外付けのストロボ用の発光制御光信号を得るため光として有効に利用するカメラの内蔵ストロボ光切替装置を提供する。【解決手段】本発明のカメラ１の内蔵ストロボ光切替装置１１は、カメラ本体２のレンズ鏡筒２の上側に搭載したストロボ４の両側部に回動可能に配置された一対の側片部１４と、一対の側片部１４により架設されストロボ４の発光面領域前方を遮蔽、解放する凸曲面状の減光・拡散板１５を具備する減光・拡散板機構部１２と、一方の側片部１４の回動基部位置に一端を連結するとともに、カメラ本体２の側面側に他端を臨ませた操作軸１６と、この操作軸１６に取り付けた操作ダイヤル１７とを具備するものである。【選択図】図１
2009003226.tif 000002
【特許請求の範囲】
【請求項１】
カメラ本体に搭載したストロボの発光面領域前方を遮蔽、解放可能な状態に前記カメラ本体により回動可能に支持された減光・拡散板機構部と、
前記カメラ本体の側面側から前記減光・拡散板機構部の前記ストロボの発光面領域に対する遮蔽、解放操作を行う操作機構部と、
を有することを特徴とするカメラの内蔵ストロボ光切替装置。
【請求項２】
カメラ本体のレンズ鏡筒上側に搭載したストロボの両側部に回動可能に配置された一対の側片部と、一対の側片部により架設され前記ストロボの発光面領域前方を遮蔽、解放する凸曲面状又は平板状の減光・拡散板を具備する減光・拡散板機構部と、
一方の側片部の回動基部位置に一端を連結するとともに、カメラ本体の側面側に他端を臨ませた操作軸と、この操作軸に取り付けた操作ダイヤルとを具備し、前記カメラ本体の側面側で操作ダイヤルを操作し、操作軸を介して前記減光・拡散板機構部の減光・拡散板による前記ストロボの発光面領域に対する遮蔽、解放操作を行う操作機構部と、
を有することを特徴とするカメラの内蔵ストロボ光切替装置。
【請求項３】
カメラ本体のレンズ鏡筒上側に搭載したストロボの両側部に回動可能に配置された一対の側片部と、一対の側片部により架設され前記ストロボの発光面領域前方を遮蔽、解放する凸曲面状又は平板状の減光・拡散板を具備する減光・拡散板機構部と、
一方の側片部の回動基部位置に一端を連結するとともに、カメラ本体の側面側に他端を臨ませた操作軸と、この操作軸に取り付けたクリック機構を備える操作ダイヤルとを具備し、前記カメラ本体の側面側で操作ダイヤルを操作し、操作軸を介して前記減光・拡散板機構部の減光・拡散板による前記ストロボの発光面領域に対する遮蔽、解放操作を行う操作機構部と、
を有することを特徴とするカメラの内蔵ストロボ光切替装置。
【請求項４】
カメラ本体に搭載したストロボの発光面領域前方を遮蔽、解放可能な状態に前記カメラ本体により回動可能に支持された減光・拡散板機構部と、前記カメラ本体の側面側から前記減光・拡散板機構部の前記ストロボの発光面領域に対する遮蔽、解放操作を行う操作機構部と、を具備する内蔵ストロボ光切替装置を備えたカメラと、
このカメラを収納する水中ハウジングと、
を有することを特徴とする水中撮影用カメラユニット。
【請求項５】
カメラ本体のレンズ鏡筒上側に搭載したストロボの両側部に回動可能に配置された一対の側片部と、一対の側片部により架設され前記ストロボの発光面領域前方を遮蔽、解放する凸曲面状又は平板状の減光・拡散板を具備する減光・拡散板機構部と、一方の側片部の回動基部位置に一端を連結するとともに、カメラ本体の側面側に他端を臨ませた操作軸と、この操作軸に取り付けた操作ダイヤルとを具備し、前記カメラ本体の側面側で操作ダイヤルを操作し、操作軸を介して前記減光・拡散板機構部の減光・拡散板による前記ストロボの発光面領域に対する遮蔽、解放操作を行う操作機構部と、を具備する内蔵ストロボ光切替装置を備えたカメラと、
このカメラを収納する水中ハウジングと、
を有することを特徴とする水中撮影用カメラユニット。
【請求項６】
カメラ本体のレンズ鏡筒上側に搭載したストロボの両側部に回動可能に配置された一対の側片部と、一対の側片部により架設され前記ストロボの発光面領域前方を遮蔽、解放する凸曲面状又は平板状の減光・拡散板を具備する減光・拡散板機構部と、一方の側片部の回動基部位置に一端を連結するとともに、カメラ本体の側面側に他端を臨ませた操作軸と、この操作軸に取り付けたクリック機構を備える操作ダイヤルとを具備し、前記カメラ本体の側面側で操作ダイヤルを操作し、操作軸を介して前記減光・拡散板機構部の減光・拡散板による前記ストロボの発光面領域に対する遮蔽、解放操作を行う操作機構部と、を具備する内蔵ストロボ光切替装置を備えたカメラと、
このカメラを収納する水中ハウジングと、
を有することを特徴とする水中撮影用カメラユニット。
【発明の詳細な説明】
【技術分野】
【０００１】
本発明は、カメラの内蔵ストロボ光切替装置及び水中撮影用カメラユニットに関するものである。
【背景技術】
【０００２】
例えば、内蔵ストロボを備えたデジタルカメラ等のようなカメラを使用して水中撮影を実行する場合、透明で防水仕様とした水中ハウジング内にカメラを収納した状態の基に所望の水中撮影を行うことが通常である。
【０００３】
この場合、水中での撮影では光量が陸上での撮影に比較し乏しいことから、外付けのストロボを併用し撮影時の光量不足を補うようにしている。
【０００４】
水中ハウジング内にカメラを収納した状態で被写体である魚類や水中植物等を撮影する際に、内蔵ストロボのみ発光させると、カメラレンズ近くの水中に浮遊しているプランクトンやごみ類にストロボ光が当たりその反射光がレンズに入射してしまい、この結果、撮影画像（又は撮影写真）のコントラストの低下、白濁等の画質劣化を招いてしまう。
【０００５】
また、カメラレンズから３０ｃｍ以内というような近接撮影を実行すると、白とび等のような露出オーバーの撮影画像となってしまう。
【０００６】
従って、水中での撮影を行う場合には、内蔵ストロボからの光が前方へ照射されることをできるだけ抑え、カメラレンズから離れた位置に配置される外付けのストロボを発光させて被写体を明るく照明することが必須となる。
【０００７】
さらに、内蔵ストロボの光を外付けのストロボの発光制御光信号を得るために効率よく利用することも要請される。
【０００８】
特許文献１には、上述したような不具合を解消すべく、カメラ前面に配置した内蔵ストロボの発光面にライトガイドを挿入して内蔵ストロボから前方へ照射される光を低く抑えるとともに、ライトガイド、光ファイバを介して内蔵ストロボからの光を外付けのストロボに導くように構成したデジタルカメラ用外付ストロボの発光制御方法及び装置が提案されている。
【特許文献１】特開２００３−２０２６１８号公報
【発明の開示】
【発明が解決しようとする課題】
【０００９】
本発明が解決しようとする問題点は、良好な操作性の基に、内蔵ストロボからの光が、前方へ照射されることを抑えることができ、かつ、外付けのストロボ用の発光制御光信号を得るため光として有効に利用でき、水中ハウジングと組み合わせて水中での撮影に用いて好適なカメラの内蔵ストロボ光切替装置が存在しない点である。
【課題を解決するための手段】
【００１０】
本発明のカメラの内蔵ストロボ光切替装置は、カメラ本体に搭載したストロボの発光面領域前方を遮蔽、解放可能な状態に前記カメラ本体により回動可能に支持された減光・拡散板機構部と、前記カメラ本体の側面側から前記減光・拡散板機構部の前記ストロボの発光面領域に対する遮蔽、解放操作を行う操作機構部と、を有することを最も主要な特徴とする。
【発明の効果】
【００１１】
請求項１記載の発明によれば、カメラ本体の側面側から操作機構部を操作するという良好な操作性の基に、内蔵ストロボからの光が、前方へ照射されることを抑えることができ、かつ、外付けのストロボ用の発光制御光信号を得るため光として有効に利用でき、水中ハウジングと組み合わせて水中での撮影に用いて好適なカメラの内蔵ストロボ光切替装置を提供することができる。
【００１２】
請求項２記載の発明によれば、凸曲面状又は平板状の減光・拡散板を具備する減光・拡散板機構部、操作軸を介して前記減光・拡散板機構部の減光・拡散板による前記ストロボの発光面領域に対する遮蔽、解放操作を行う操作機構部を備える構成で、請求項１記載の発明と同様な効果を奏するカメラの内蔵ストロボ光切替装置を提供することができる。
【００１３】
請求項３記載の発明によれば、請求項２記載の発明の効果に加えて、クリック感を伴って操作軸を確実に操作できるという効果を奏するカメラの内蔵ストロボ光切替装置を提供することができる。
【００１４】
請求項４記載の発明によれば、請求項１記載の発明に係る内蔵ストロボ光切替装置と、水中ハウジングとを組み合わせた構成で、極めて操作性が良好であり、内蔵ストロボからの光が、前方へ照射されることを抑えることができ、かつ、外付けのストロボ用の発光制御光信号を得るため光として有効に利用でき、さらに、所望の水中撮影を行い撮影画像のコントラストの低下、白濁、露出オーバー等を回避して画質劣化のない撮影画像の取得を実現し得る水中撮影用カメラユニットを提供することができる。
【００１５】
請求項５記載の発明によれば、請求項２記載の発明に係る内蔵ストロボ光切替装置と、水中ハウジングとを組み合わせた構成で、極めて操作性が良好であり、内蔵ストロボからの光が、前方へ照射されることを抑えることができ、かつ、外付けのストロボ用の発光制御光信号を得るため光として有効に利用でき、さらに、所望の水中撮影を行い撮影画像のコントラストの低下、白濁、露出オーバー等を回避して画質劣化のない撮影画像の取得を実現し得る水中撮影用カメラユニットを提供することができる。
【００１６】
請求項６記載の発明によれば、請求項３記載の発明に係る内蔵ストロボ光切替装置と、水中ハウジングとを組み合わせた構成で、極めて操作性が良好であるとともにクリック感を伴って操作軸を確実に操作でき、内蔵ストロボからの光が、前方へ照射されることを抑えることができ、かつ、外付けのストロボ用の発光制御光信号を得るため光として有効に利用でき、さらに、所望の水中撮影を行い撮影画像のコントラストの低下、白濁、露出オーバー等を回避して画質劣化のない撮影画像の取得を実現し得る水中撮影用カメラユニットを提供することができる。
【発明を実施するための最良の形態】
【００１７】
本発明は、良好な操作性の基に、内蔵ストロボからの光が、前方へ照射されることを抑えることができ、かつ、外付けのストロボ用の発光制御光信号を得るため光として有効に利用でき、水中ハウジングと組み合わせて水中での撮影に用いて好適なカメラの内蔵ストロボ光切替装置を提供するという目的を、カメラ本体のレンズ鏡筒上側に搭載したストロボの両側部に回動可能に配置された一対の側片部と、一対の側片部により架設され前記ストロボの発光面領域前方を遮蔽、解放する凸曲面状又は平板状の減光・拡散板を具備する減光・拡散板機構部と、一方の側片部の回動基部位置に一端を連結するとともに、カメラ本体の側面側に他端を臨ませた操作軸と、この操作軸に取り付けた操作ダイヤルとを具備し、前記カメラ本体の側面側で操作ダイヤルを操作し、操作軸を介して前記減光・拡散板機構部の減光・拡散板による前記ストロボの発光面領域に対する遮蔽、解放操作を行う操作機構部と、を有する構成により実現した。
【実施例】
【００１８】
以下に、本発明の実施例に係るカメラ１の内蔵ストロボ光切替装置１１及び水中撮影用カメラユニット３１について図面を参照して詳細に説明する。
【００１９】
（実施例１）
本実施例１に係るカメラ１の内蔵ストロボ光切替装置１１は、図１、図２及び図３に示すように、例えばズーム対応のレンズ鏡筒３と、このレンズ鏡筒３の真上の位置に配置した内蔵型で長方形状の発光面５を備えたストロボ（内蔵ストロボ）４とを有するカメラ本体２の上面に、前記ストロボ４の発光面５の領域前方を遮蔽、解放する減光・拡散板機構部１２と、この減光・拡散板機構部１２の遮蔽、解放操作を行う操作機構部１３とを組み込むことにより構成している。
【００２０】
前記ストロボ４は、図３に示すように、カメラ本体２の上面において支持アーム６に支持され、矢印ａ、ｂ方向に回動可能に構成している。尚、図１、図２中、７はストロボ保護カバーである。
【００２１】
前記減光・拡散板機構部１２及び操作機構部１３について以下に詳述する。
【００２２】
前記減光・拡散板機構部１２は、カメラ本体２におけるレンズ鏡筒３の上側に配置（搭載）したストロボ４の両側部に各々回動基部１４ａ側を回動中心として回動可能に配置した一対の扇形状の側片部１４、１４と、両側片部１４、１４の弧状を呈する突出端縁間に架設され、前記ストロボ４の発光面５の領域前方を遮蔽、解放する正面から見て長方形状で側面から見て弧状を呈する、すなわち、凸曲面状に形成した例えば灰色アクリル板等からなりストロボ光の減光機能・拡散機能を発揮する減光・拡散板１５と、を具備している。
前記減光・拡散板１５としては、凸曲面状を呈するものの他、平板状に形成したものを採用することも可能である。
【００２３】
前記側片部１４、１４の各回動基部１４ａは、前記ストロボ４の両側部に各々回動可能に係止されて、前記両側部から離脱しないように構成している。
【００２４】
前記操作機構部１３は、図１、図２に示すように、前記カメラ本体２の正面から見て右側の一方の側片部１４の回動基部１４ａの位置に一端を連結するとともに、カメラ本体２の正面から見て右側の一方の側面側に他端を臨ませた操作軸１６と、この操作軸１６の他端に中心内側をネジ止め等で取り付けた外周に凹凸を有する略円筒状で、かつ、詳細は後述するクリック機構２１を備えた操作ダイヤル１７とを具備している。
【００２５】
前記操作ダイヤル１７に設けたクリック機構２１は、種々形態を採用し得るが、その一構成例について、図４、図５を参照して説明する。
【００２６】
同図に示すクリック機構２１は、操作ダイヤル１７の前記減光・拡散板１５側に臨む内面に支持筒部２２を操作軸１６の方向と同方向に突設するとともに、支持筒部２２内にコイルバネ２３を配置し、さらに、コイルバネ２３の突出端側に球体からなる小径の位置決めボール２４を配置している。
【００２７】
また、前記カメラ本体２の上面に固定され、前記操作軸１６を貫通支持する軸支持体２５の操作ダイヤル１７側の端面に、前記減光・拡散板１５の遮蔽位置用及び解放位置用の２個の係合受凹部２６、２７を円形配置にかつ９０度間隔で設けている。
【００２８】
そして、前記コイルバネ２３により位置決めボール２４を軸支持体２５側に付勢して圧接し、前記操作ダイヤル１７の回動操作に応じて、前記減光・拡散板１５の遮蔽位置では位置決めボール２４を前記係合受凹部２６内に没入させ、また、解放位置では位置決めボール２４を前記係合受凹部２７内に没入させて、前記操作ダイヤル１７の回動操作に伴うクリック感を生じさせる構成としている。
【００２９】
本実施例１のカメラ１の内蔵ストロボ光切替装置１１によれば、上述したように撮影者が前記カメラ本体２の側面側に配置した操作軸１６を例えば左手の指で操作し、このとき右手の指で図示しないがシャッターを操作することもでき、撮影者が指先をカメラ前面側に回し込むという操作を無くした極めて操作性の良好な内蔵ストロボ光切替装置１１とすることができる。
【００３０】
また、撮影者は、撮影目的に応じて左手の指で前記操作軸１６を回すという簡略操作で、前記減光・拡散板機構部１２の前記減光・拡散板１５を前記ストロボ４の発光面５の領域前方を遮蔽又は解放する位置に配置することができ、このとき、特に前記減光・拡散板１５により前記ストロボ４の発光面５の領域前方を遮蔽した状態で前記ストロボ４を発光させた場合には、ストロボ４からの光が前方へ照射されることを抑えつつこの光を外付けのストロボ用の発光制御光信号を得るため光として有効に利用することが可能となり、後述する水中ハウジング３２と組み合わせることで、水中での撮影に用いて好適な内蔵ストロボ光切替装置１１とすることができる。
【００３１】
さらに、前記操作ダイヤル１７にクリック機構２１を備えたことにより、操作ダイヤル１７の回動操作に伴うクリック感を得つつ前記減光・拡散板１５を回動操作でき、操作の確実性を期することができる。
【００３２】
さらに、前記減光・拡散板１５を凸曲面状としているので、この減光・拡散板１５の回動領域の省スペース化を図ることもできる。
【００３３】
（実施例２）
次に、本発明の実施例２に係る水中撮影用カメラユニット３１について、図３を参照して説明する。
【００３４】
本実施例２に係る水中撮影用カメラユニット３１は、上述した内蔵ストロボ光切替装置１１を備えたカメラ１と、このカメラ１を内部に防水状態で、かつ、カメラ１を挿脱可能に収納する公知の水中ハウジング３２と、を有している。
【００３５】
さらに、本実施例２に係る水中撮影用カメラユニット３１においては、図３に示すように、前記水中ハウジング３２における前記ストロボ４の前方位置に、例えばＯリング等の光ファイバー保持具３３により保持された光ファイバー３４の一端を臨ませ、前記ストロボ４からの前方への光が前記減光・拡散板１５で遮られた時に、このストロボ４の光を光ファイバー３４を介して図示しないが外部ストロボ用の発光制御光信号として出力する構成を採用することも可能である。尚、図３中、θはストロボ４からの光の照射角である。
【００３６】
本実施例２によれば、上述した効果を奏する内蔵ストロボ光切替装置１１を備えたカメラ１と、前記水中ハウジング３２との組み合わせたものであるから、極めて操作性が良好であり、前記操作ダイヤル１７のクリック間を伴う確実な回動操作によって前記減光・拡散板１５の前記ストロボ４の発光面５の領域前方を遮蔽又は解放する位置への配置も簡略に行うことができ、所望の水中撮影を行い撮影画像のコントラストの低下、白濁、露出オーバー等を回避して画質劣化のない撮影画像の取得を実現し得る水中撮影用カメラユニット３１を提供することができる。
【００３７】
また、前記光ファイバー３４を備える構成とすることで、前記減光・拡散板１５により前記ストロボ４の発光面５の領域前方を遮蔽したときのストロボ４からの光を外部ストロボ用の発光制御光信号として出力することができる水中撮影用カメラユニット３１を提供することができる。
【産業上の利用可能性】
【００３８】
本発明の内蔵ストロボ光切替装置は、デジタルカメラ、スチールカメラ、ビデオカメラ等の種々のカメラについて、また、カメラの大小を問わず広範に適用可能である。
【図面の簡単な説明】
【００３９】
【図１】本発明の実施例１に係るストロボ光切替装置を備えたカメラにおけるストロボの発光面領域解放状態を示す斜視図である。
【図２】本実施例１に係るストロボ光切替装置を備えたカメラにおけるストロボの発光面領遮蔽状態を示す斜視図である。
【図３】本実施例２に係るストロボ光切替装置を備えたカメラ及び水中ハウジングの概略断面図である。
【図４】本実施例１に係るストロボ光切替装置における操作ダイヤルのクリック機構を示す拡大断面図である。
【図５】本実施例１に係るストロボ光切替装置におけるクリック機構の一部である軸支持体に設けた係合受凹部を示す図である。
【符号の説明】
【００４０】
１    カメラ
２    カメラ本体
３    レンズ鏡筒
４    ストロボ
５    発光面
６    支持アーム
７    ストロボ保護カバー
１１    内蔵ストロボ光切替装置
１２    減光・拡散板機構部
１３    操作機構部
１４    側片部
１４ａ  回動基部
１５    減光・拡散板
１６    操作軸
１７    操作ダイヤル
２１    クリック機構
２２    支持筒部
２３    コイルバネ
２４    ボール
２５    軸支持体
２６    係合受凹部
２７    係合受凹部
３１    水中撮影用カメラユニット
３２    水中ハウジング
３３    光ファイバー保持具
３４    光ファイバー
【図１】
2009003226.tif 000003
【図２】
2009003226.tif 000004
【図３】
2009003226.tif 000005
【図４】
2009003226.tif 000006
【図５】
2009003226.tif 000007